(57)【要約】  【課題】  収納家具１の内部を上下に区切る構造棚板７０を利用して、開閉扉５０や抽斗を簡単に取り付けできるようにする。  【解決手段】  収納家具１の枠体で囲まれる収納空間を上下に仕切り、前記枠体の奥行き寸法より短い１構造棚板７０を枠体の側板の内面に着脱可能または固定式に装着し、構造棚板７０の前後側縁には、それぞれ収納家具の前後端で高さが高く、内側には高さの低い段差部７３を有する断面Ｔ状の端段部７２を有し、端段部７２の前端面に開閉扉５０に対する蝶番手段８０の基部８０ａを差し込む取り付け孔７９を設ける一方、段差部７３の下面側には蝶番手段８０の基部８０ａを差込み且つネジ５４止めするための取り付け孔７９付きの取付け部材７５を固定した。  【選択図】  図１４
2005160559.tif 000002
【特許請求の範囲】
【請求項１】
左右一対の側板と、地板及び天板とにより枠体を構成する組立式収納家具であって、
前記地板、天板及び側板の前後側縁に沿って断面Ｌ字状の端段部を有し、前記断面Ｌ字状の端段部の向きは、それぞれ枠体の前後端で高さが低く、内側で高い段付き状に形成されている一方、
前記枠体で囲まれる収納空間を上下に仕切り、前記枠体の奥行き寸法より短い１乃至複数の構造棚板を前記側板の内面に着脱可能または固定式に装着し、
前記構造棚板の前後側縁には、それぞれ収納家具の前後端で高さが高く、内側には高さの低い段差部を有する断面Ｔ状の端段部を有し、
前記構造棚板における前記端段部の前端面に前記開閉扉に対する蝶番手段及び／または前記引き戸に対するレール部材の支持ブラケットを突設させるように、前記段差部の下面側には前記蝶番手段及び支持ブラケットの取付け部を備えたことを特徴とする組立式収納家具。
【請求項２】
前記構造棚板上には、前記端段部における少なくとも段差部を覆うように棚カバー体を着脱可能に配置したことを特徴とする請求項１に記載の組立式収納家具。
【請求項３】
前記棚カバー体は、前記枠体の前端側に配置する開閉扉、引き戸等の閉止部材の種類に応じて形態を異なるように形成したことを特徴とする請求項２に記載の組立式収納家具。
【請求項４】
前記枠体の後面側の内周の端段部のうち高さの低い個所には、前記収納空間の後面側を塞ぐように、背板を配置し、
該背板の上下端部を、前記地板、天板及び構造棚板における後側の前記各端段部の高い段差部に係止または締結したことを特徴とする請求項１乃至３のいずれかに記載の組立式収納家具。
【発明の詳細な説明】
【技術分野】
【０００１】
本発明は、組立式収納家具の構成に係り、より詳しくは、左右一対の側板と、地板及び天板とで構成した枠体の上下中途部に構造棚板を連結して収納空間を形成し、前記収納空間を塞ぐための開閉扉及び／または引き戸を前記構造棚板の前端側に配置し、これに応じて構造棚板の上面の全体を平坦な棚カバー体で覆うことができる組立式収納家具の構造に関するものである。
【背景技術】
【０００２】
従来、組立式のキャビネットとして、左右一対の側板と地板及び天板との間に中間の棚板を複数配置する構成として、左右一対の外板の内面に縦長の棚受け部材をビス止めし、棚受け部材の同じ高さ位置の係止溝孔に棚板の左右両側縁を差込み支持させる構成が知られている（特許文献１）。
【０００３】
また、組立式戸棚における左右一対の側板の内面に前後一対の縦長の枠柱を固定し、前後一対枠柱間に前後に長い棚受け棒を水平状に固定し、この棚受け棒に中間の棚板の左右両側の係止部を載置するように構成したものが知られている（特許文献２）。
【０００４】
さらに、製造、保管、運搬、解体が容易で強度の高い枠体構造を有する組立式収納庫本体として、天板、地板及び左右側板は、それぞれ外壁部と、その外壁部の内側に外壁部と協働してその長さ方向に延びる中空状の補強部を備える。天板及び地板の左右端部と左右側板の上下端とを連結するコーナ連結部材は、天板、地板及び側板の奥行き寸法に略等しい長さの基片に互いに直交する方向に延びる嵌合片を備え、この嵌合片を、前記補強部の中空部内に嵌め入れた後、締結ねじにて固定するものが知られている（特許文献３）。
【特許文献１】実公昭６３−２０３４６号公報（第１図参照）
【特許文献２】実公昭４６−６６３０号公報（第３図、第６図参照）
【特許文献３】特開２００２−７８５３７号公報（図５及び図７参照）
【発明の開示】
【発明が解決しようとする課題】
【０００５】
しかしながら、前記特許文献１〜３に記載の組立式収納家具では、収納家具における枠体の上下中途部を仕切る中間棚で前記枠体に上下の収納空間を形成したとき、開閉扉の蝶番や引き戸のレール部材は前記枠体に取付けることはできても、前記中間棚に設けることはできなかったから、その各収納空間毎の前面を覆うために開閉扉を上下別々に設けたり、開閉扉と引き戸のように種類の異なる開閉部材を上下に配置するには、前記中間棚とは異なる部材、もしくは追加的部材を必要とするという問題があった。
【０００６】
本発明の目的は、収納家具の枠体内の収納空間を構造棚板にて上下に分割でき、この構造棚板を利用して上下部位に開閉扉や引き戸を簡単に装着でき、且つ構造棚板の上面を平坦にできる棚カバー体も装着できるようにした外観の優れた組立式収納家具を提供することである。
【課題を解決するための手段】
【０００７】
前記目的を達成するため、請求項１に記載の発明の組立式収納家具は、左右一対の側板と、地板及び天板とにより枠体を構成する組立式収納家具であって、前記地板、天板及び側板の前後側縁に沿って断面Ｌ字状の端段部を有し、前記断面Ｌ字状の端段部の向きは、それぞれ枠体の前後端で高さが低く、内側で高い段付き状に形成されている一方、前記枠体で囲まれる収納空間を上下に仕切り、前記枠体の奥行き寸法より短い１乃至複数の構造棚板を前記側板の内面に着脱可能または固定式に装着し、前記構造棚板の前後側縁には、それぞれ収納家具の前後端で高さが高く、内側には高さの低い段差部を有する断面Ｔ状の端段部を有し、前記構造棚板における前記端段部の前端面に前記開閉扉に対する蝶番手段及び／または前記引き戸に対するレール部材の支持ブラケットを突設させるように、前記段差部の下面側には前記蝶番手段及び支持ブラケットの取付け部を備えたものである。
【０００８】
請求項２に記載の発明は、請求項１に記載の組立式収納家具において、前記構造棚板上には、前記端段部における少なくとも段差部を覆うように棚カバー体を着脱可能に配置したものである。
【０００９】
請求項３に記載の発明は、請求項２に記載の組立式収納家具において、前記棚カバー体は、前記枠体の前端側に配置する開閉扉、引き戸等の閉止部材の種類に応じて形態を異なるように形成したものである。
【００１０】
請求項４に記載の発明は、請求項１乃至３のいずれかに記載の組立式収納家具において、前記枠体の後面側の内周の端段部のうち高さの低い個所には、前記収納空間の後面側を塞ぐように、背板を配置し、該背板の上下端部を、前記地板、天板及び構造棚板における後側の前記各端段部の高い段差部に係止または締結したものである。
【発明の効果】
【００１１】
請求項１の発明によれば、構造棚板の奥行き寸法は枠体の奥行き寸法より短く、且つ構造棚板の断面Ｔ状の端段部の下面に取付け部を備えることにより、前記端段部の前端面に前記開閉扉に対する蝶番手段及び／または前記引き戸に対するレール部材の支持ブラケットを突設させて取り付けすることが簡単にでき、組み立て施工が容易となる。
【００１２】
請求項２に記載の発明によれば、前記構造棚板上には、前記端段部における少なくとも段差部を覆うように棚カバー体を着脱可能に配置したものであるから、蝶番手段や引き戸に対するレール部材の支持ブラケットの取り付け部の上面を棚カバー体で覆って外観を向上させることができる。
【００１３】
請求項３に記載の発明によれば、開閉扉、引き戸等の閉止部材の種類に応じて棚カバー体の形態を変更したものを、簡単に装着でき、収納家具の収納空間の種類の変更に即応できる。
【００１４】
請求項４に記載の発明によれば、収納家具の裏面（背面）を塞ぐ背板を至極簡単に取り付けし、且つ締結手段も少なくて済み、組み立て施工が容易となる。
【発明を実施するための最良の形態】
【００１５】
次に、本発明を具体化した実施形態について図面を参照しながら詳述する。図１は本発明の組立式家具の斜視図、図２は図１のII−II線矢視側断面図、図３は構造棚板を装着する場合の斜視図、図４は天板、地板、外側板、中側板、端用連結部材、増連用連結部材の斜視図である。
【００１６】
図１〜図４に示すように、本発明に係る組立式収納家具１（以下、単に収納家具１という）は、左右一対の外側板２、２と、該両外側板２、２の間に配置する１乃至複数の増連用側板３と、１乃至複数の地板４及び天板５とを、互いに直交するように、端用連結部材６及び増連用連結部材７とを介して着脱自在に連結して枠体を増連可能にしたものである（但し、図１及び図２において一方の外側板は図示していない）。なお、収納空間を増設しない単位組立式収納家具とするときには、左右一対の外側板２、２と１つの地板４及び天板５と４つの端用連結部材６とにより構成されることになる。
【００１７】
本実施形態では、外側板２、中側板３、地板４及び天板５は薄い金属板を折り曲げる等して平面視矩形状に形成されており、各板２〜５の幅寸法Ｄ０は収納家具１（枠体）の奥行き寸法Ｄ０（図１及び図３参照）と同じに設定されている。また、端用連結部材６及び増連用連結部材７は、ＡＢＳ樹脂材やアルミダイカスト等からなる一体成形品であり、端用連結部材６長さ寸法も組立式収納家具１の奥行き寸法Ｄ０と同じに設定されている。増連用連結部材７の長さ寸法Ｄ１はＤ０より若干短い。
【００１８】
なお、第１の実施形態では、地板４の下面に高さ調節可能な足体８（図１５の詳細図参照）を介して床面に支持されている。また、外側板２と増連用側板３との間の中途高さ位置に、後に詳述するような１枚の構造棚板７０を外側板２及び増連用側板３の各内面側に固定することにより、枠体内に上下に収納空間を形成する（図２参照）。
【００１９】
［地板４及び天板５］                                                            地板４及び天板５の基本形は、それぞれ広幅の平板１０の前後側縁に沿って収納家具１（枠体）の奥行き方向に延びる断面略Ｌ字状の前後端段部１１、１２が形成されている（図４、図５参照）。この前端段部１１と後端段部１２は前記端用連結部材６の一部が嵌まり込む中空状の端嵌合部に形成されるものであって、補強部と兼用される。この前後端段部１１、１２の長さは地板４及び天板５の幅寸法Ｄ０に等しい（図８参照）。前後端段部１１、１２では、地板４及び天板５の前後側縁にて高さ寸法（Ｌ１）の低い端部１４と、端部１４の奥側（収納家具１の奥行き側の内方）にて高さ寸法（Ｌ２）の大きい段付き部１５とにより、略Ｌ字状の中空状の嵌合部が形成される（図５（ａ）及び図５（ｂ）、図８参照）。この端部１４と段付き部１５と補助嵌合部１８とは、前後端補強枠１３を屈曲形成して平板１０の内面にスポット溶接して固定することにより形成される。
【００２０】
また、前記平板１０の内面の略中央部には、家具の奥向き方向に長い断面コ字状の中央補強枠１６を家具１の間口方向に延びるように添設してスポット溶接にて固定し、該中央補強枠１６と平板１０とで囲まれた中空状の中央嵌合部１７と補助嵌合部１９とを構成する。なお、前記端部１４の長さは平板１０の間口寸法Ｗ０に等しいが、段付き部１５、補助嵌合部１８、中央嵌合部１７及び補助嵌合部１９は、図５（ａ）及び図８に示すように、平板１０の間口き方向の両端縁からＷ１だけ入り込んで短く形成されている。地板４及び天板５は同一形状であり、且つ前後端段部１１、１２も同じ寸法であり、収納家具１の奥行き方向に対称形状であるので、事実上、上下左右に反転させて共用できるものである。
【００２１】
［外側板］                                                                      外側板２の基本形は図４に示すが、地板４及び天板５の基本形と略同じであり、図６（ａ）及び図６（ｂ）に示すごとく、外側板２の外面を構成する平板１０の上下方向に沿って延びる前後縁片を内方向に断面コ字状に折曲げた屈曲部と、平板１０の内面にスポット溶接して固定する金属板製の前後端補強枠１３と、平板１０の前後側縁にて高さ寸法（Ｌ１）の低い端部１４と、端部１４の奥側（収納家具１の奥行き側の内方）にて高さ寸法（Ｌ２）の大きい段付き部１５とにより、略Ｌ字状の中空状の嵌合部が形成される。また、前記平板１０の内面の略中央部には、家具の奥向き方向に長い断面コ字状の中央補強枠１６を家具１の間口方向に延びるように添設してスポット溶接にて固定し、該中央補強枠１６と平板１０とで囲まれた中空状の中央嵌合部１７と補助嵌合部１９とを構成する。なお、前記端部１４の長さは平板１０の高さ寸法に等しいが、段付き部１５、補助嵌合部１８、中央嵌合部１７及び補助嵌合部１９は、図６（ａ）に示すように、平板１０の間口方向の両端縁からＨ１だけ入り込んで短く形成されている。外側板２は、上下左右に反転させて左右両側の部分に共用できるものである。
【００２２】
［増連用側板］                                                                  増連用側板３の基本形は図４、図８、図７（ａ）及び図７（ｂ）に示すごとく、広幅（奥行き寸法Ｄ０）の平板２０の略中央部にてコ字状に屈曲され、上下方向に延びる中央補強枠２１と、それに隣接する補助補強部２２と、平板２０の前後端縁に沿って上下に延びるように平板２０の前後縁片を内方向に断面Ｌ字状に折曲げた屈曲部と、略Ｔ字状乃至十字状の前端段部２４と後端段部２５とを有して平板２０の片面にスポット溶接して固定する金属板製の断面Ｌ字状に折曲げた前後端補強枠２６とにより構成され、この２枚の平板２０を前記中央補強枠２１等が相対向し、且つ内部に中空部が形成されるように重ねて、スポット溶接したものである。
【００２３】
従って、増連用側板３の奥行き寸法の中央部に上下方向に延びる矩形中空状の中央嵌合部２３が形成され、その両側に補助嵌合部２２ａが形成されている。そして、前記Ｔ字状の前後両端段部２４、２５は平板２０の間口前面に沿って延びる高さ寸法（Ｌ１）の低い端部２７と、該端部２７の奥側（収納家具１の奥行き側の内方）にて高さ寸法（Ｌ３）の大きい段付き部２８とにより形成されて、端段部２４と後端段部２５とは略Ｔ字状乃至十字状の中空状の嵌合部が形成される（図７（ａ）、図７（ｄ）及び図８参照）。なお、前記端部２７の長さは平板２０の高さ寸法Ｈ０に等しいが、段付き部２８、中央嵌合部２３及び補助嵌合部２２ａは、図７（ａ）に示すように、平板２０の上下両端縁からＨ２だけ入り込んで短く形成されている。
【００２４】
前記外側板２、地板４、天板５における前端段部１１と後端段部１２と、増連用側板３における前端段部２４と後端段部２５とは同一形状である。
【００２５】
［端用連結部材６及び増連用連結部材７］                                          次に、端用連結部材６及び増連用連結部材７の構成について説明すると、図９（ａ）〜図９（ｄ）は端用連結部材６の斜視図であり、断面略矩形の基体３０は、Ｄ０の長さを有して収納家具１（枠体）の奥行き方向に延びる。この基体３０の角部には前記平板１０、２０の板厚さ分だけ突出した角片３０ａが形成されている。基体３０の前後両端部には、それぞれ第１端嵌入片３１ａ，３１ｂと、第２端嵌入片３２ａ，３２ｂと、中央嵌入片３３ａ，３３ｂとが互いに直交する方向に突出するように設けられている。また、長さの短い中央嵌入片３３ａの前後両端部には適宜離間して補助嵌入片３３ｃが突出しており、両補助嵌入片３３ｃ間の距離が中央嵌入片３３ｂの長さに等しく設定されている。
【００２６】
断面Ｌ字状の第１端嵌入片３１ａ，３１ｂ、断面Ｌ字状の第２端嵌入片３２ａ，３２ｂは、それぞれ地板４、天板５及び外側板２における前後端の略Ｌ字状の中空状の嵌合部を有する前端段部１１と後端段部１２にそれぞれ左右方向（間口方向）から嵌入できるものである。第１端嵌入片３１ａ，３１ｂ及び第２端嵌入片３２ａ，３２ｂには、基体３０の前後端面方向に延びて低い高さの前端部１４内にきっちりと嵌まる薄板状の嵌入部３５ａと、高い高さの段付き部１５内にきっちりと嵌まる断面略矩形状のボス部３５ｂとが一体的に形成されている。
【００２７】
また、第１端嵌入片３１ａ，３１ｂ及び第２端嵌入片３２ａ，３２ｂは、端用連結部材６と後述する増連用連結部材７とを背中合わせにした状態で、増連用側板３における断面Ｔ状の前端段部２４及び後端段部２５の一部に上下方向からきっちりと嵌入できるものである。
【００２８】
一方、中央嵌入片３３ａと補助嵌入片３３ｃとの対及び中央嵌入片３３ｂは、それぞれ地板４、天板５及び外側板２における中央嵌合部１７に対してきっちりと嵌入できる形態である。
【００２９】
また、増連用側板３における中央嵌合部２３に対しては、端用連結部材６と後述する増連用連結部材７とを背中合わせにした状態で、中央嵌入片３３ａと補助嵌入片３３ｃとの対及び中央嵌入片３３ｂが（後述する）増連用連結部材７における中央嵌入片４３ａと背中合わせ状態で上下方向からきっちりと嵌入できる形態である。
【００３０】
実施形態では、端用連結部材６は基体３０の長手方向の中央に対して左右対称形状に形成されている（図９（ａ）〜図９（ｄ）参照）。なお、端用連結部材６による地板４と外側板２との連結角部（直角連結箇所部）や天板５と外側板２との連結角部、前記端用連結部材６と増連用連結部材７とを背中合わせにした状態で連結する間口方向に並ぶ２つの地板４と増連用側板３とのＴ状連結部において、収納家具１の外面には、端用連結部材６における角片３０ａが収納家具１（枠体）の奥行き方向に沿って長く露出し、また、収納家具１（枠体）の前面及び後面には角片３０ａの端面３６が露出することになる（図１参照）。
【００３１】
端用連結部材６とほぼ同じ形態の増連用連結部材７は、前記前後両端に位置する薄板状の嵌入部３５ａを削除した状態の長さを有して奥行き方向に延びる細長い基体４０を有する。図１０（ａ）〜図１０（ｄ）に示すように、基体４０の前後両端部には、第１端嵌入片４１ａ，４１ｂと、第２端嵌入片４２ａ，４２ｂと、中央嵌入片４３ａ，４３ｂとがそれぞれ互いに直交する方向に突出するように設けられている。第１端嵌入片４１ａ，４１ｂは増連用側板３のＴ状の前後端段部２４、２５における段付き部２８の一部に嵌まり、第２端嵌入片４２ａ，４２ｂは、地板４及び天板５の前後端段部１１、１２における段付き部１５にぞれぞれ嵌まる。
【００３２】
なお、中央嵌入片４３ａの前後両端部には適宜離間して補助嵌入片４３ｃが突出しており、両補助嵌入片４３ｃ間の距離が中央嵌入片４３ｂの長さに等しく設定されている。また、実施形態では、増連用連結部材７も基体４０の長手方向の中央に対して左右対称形状に形成されている。
【００３３】
端用連結部材６と増連用連結部材７とを背中合わせにして重ねた状態では基体３０より基体４０の高さ寸法が角片３０ａの高さ寸法だけ低いため、間口方向に増連する地板４の間及び天板５の間には前記角片３０ａのみ露出するのである。
【００３４】
前記端用連結部材６と増連用連結部材７における中央嵌入片３３ａ，３３ｂ，４３ａ，４３ｂの片面には、地板４、天板５、外側板２及び増連用側板３との固定のための締着ネジの皿状頭部やなべ状頭部が突出しないようにするための凹溝４５ａが形成され、その凹溝４５ａに対応する箇所にねじ込み用下孔４５がそれぞれ穿設されている（図９、図１０参照）。地板４、天板５、外側板２及び増連用側板３における中央補強枠１６、２１には、前記下孔４５に対応する箇所に取り付け孔を有する皿状等の凹部３７が形成され（図５、図６及び図７参照）、この凹部３７に前記固定用の締着ネジの頭部が位置する。
【００３５】
なお、地板４、天板５及び外側板２における中央嵌合部１７内には、端用連結部材６における中央嵌入片３３ａ，３３ｂの挿入を容易にするために設けられた誘い込み溝３８に対するリブ３８ａが固定されている（図５、図６、図９及び図１０参照）。
【００３６】
［構造棚板］                                                                    次に、一対の外側板２、２間または外側板２と増連用側板３との間の中途高さ位置で水平に連結し、収納家具１（枠体）の内部を上下に区切って複数の収納空間を形成するための棚板としての構造棚板７０について、図２、図３、図１１及び図１２を参照しながら説明する。構造棚板７０の基本形は、図１１及び図１２（ａ）〜図１２（ｃ）に示すように、金属板からなる平板７１の奥行き寸法Ｄ３は収納家具１（枠体）の奥行き寸法Ｄ０から前記前後端部１１、１２の奥行き寸法Ｄ２の２倍を除した値（寸法Ｄ３＝Ｄ０−Ｄ２×２）であり（図２参照）、平板７１の間口方向の長さは、左右の外側板２、２の内面間（中央嵌合部１７、１７間）もしくは外側板２と増連用側板３の内面間（中央嵌合部１７、２３間）の寸法に等しく形成されている。
【００３７】
平板７１の前後縁部には、間口方向に延び、断面横向きＴ字状に屈曲させた前後端段部７２と、高さの低い段差部７３とを有し、平板７１の奥行き方向の略中央部にてコ字状に屈曲され、間口方向に延びる断面コ字型の補強枠７２がスポット溶接された断面コ字状で同じく間口方向に延びる中央補強枠７３とを有する。前記段差部７３の下面側には、後述する蝶番手段８０または抽斗用のレール部材８１の取付け部と補強枠兼用で断面コ字状の取付け部材７５を間口方向に延びるように配置してスポット溶接にて固着する。平板７１の左右両側を下向きに折り曲げた縦側片７７には、外側板２や増連用側板３の内面（中央補強枠１６、２１）に締着ネジにて固定するための下孔７８が穿設されている（図１１（ｃ）、図１２参照）。また、前記前後端段部７２には、間口方向の端部寄り部位に、前記蝶番手段８０の取付け基部８０ａまたは抽斗用のレール部材８１の支持ブラケット８２を前記取付け部材７５に挿入するための取付け孔７９が上下２段にて穿設されている（図１１（ｂ）参照）。この構造棚板７０も収納家具１の奥行き方向の中央部に対して対称形状に形成されている。
【００３８】
なお、前後端段部７２と高さの低い段差部７３とに跨がって、その下面側には、間口方向に寸法Ｗ３だけ突出する補強部材７６が溶接固定して設けられる（図１１（ａ）及び図１２参照）。この補強部材７６は構造棚板７０の左右両側の前後に合計４つ設けられている。この各補強部材７６は、外側板２や増連用側板３の内面に後付けするオプション部材８３（図示しないが、抽斗の左右を摺動自在に支持するための抽斗レールの支持側板や、中間棚板の左右両側を支持するための棚板支持側板等）に当接支持させたりネジ止め固定する。
【００３９】
次に、構造棚板７０を利用して、収納家具１の前面を開閉する回動式（観音扉式）の開閉扉５０もしくは引き戸５１を装着する構成について説明する。図１４〜図１７は、開閉扉５０の基部を蝶番手段８０を介して収納家具１の前面側に取付けする構成を示す。前記地板４及び天板５における前端段部１１（後端段部１２）の段付き部１５と補助嵌合部１８とには、図５（ｃ）、図１４に示すごとく、横長の取付け孔５２が穿設されており、前記の構造棚板７０における前端段部７２及び取付け部材７５に取付け孔７９が上下２段にて穿設されている。そこで、天板５と構造棚板７０との間、または、構造棚板７０と地板４との間に開閉扉５０を配置するには、各開閉扉５０の上下端の基部側に蝶番手段８０の先端側取付け片８０ｂをネジ５３等に固定する一方（図１４、図１５及び図１７参照）、蝶番手段８０の平板ブラケット状の基部８０ａを前記取付け孔５２及び取付け孔７９に差込み、補助嵌合部１８及び取付け部材７５にネジ５４にて固定する。なお、構造棚板７０に対しては段差部７３内にネジ５４の頭が露出しているように取り付けする。他方、天板５の補助嵌合部１８には、前記基部８０ａに穿設された抜け止め孔５５に係止する抜け止め用舌片５６が切り起こし形成されている。図１４及び図１６に示すように、全閉状態の開閉扉５０は収納家具１（枠体）の前面内に入り込み、全開する開閉扉５０は収納家具１（枠体）の前面より前に突出しているように（図１６二点鎖線参照）、蝶番手段８０は偏心機構を備えている。
【００４０】
そして、前記構造棚板７０における段差部７３の上面や地板４における補助嵌合部１８のネジ５４の頭を隠し、蝶番手段８０の取り付け部が外から見えないようにするための棚カバー体８４、８５を、構造棚板７０や地板４の上面に対してそれぞれ着脱可能に載置するものである（図１３、図１４、図１５及び図１７参照）。これらの棚カバー体８４、８５の前端部分のみ浅い段差５７が間口方向に延びるように形成されている。特に構造棚板７０に対しては前後端段部７２の上面と段差５７の上面とが同一平面となるように形成されている（図１４参照）。
【００４１】
後述する引き戸５１のレール部材８１を取り付けた場合には、構造棚板７０の前端段部７２に載置され、下向き突起８７で段差部７３に嵌まって前後移動不能にした棚カバー体８４′の形態を採用して、段差部７３におけるネジ６４の頭を隠し、且つ構造棚板７０の上側全体を広く平坦面にして物品の載置面積を大きくすることができる（図２０参照）。
【００４２】
なお、観音開き式の開閉扉５０の一方の内面の上下端には、把手５８と一体的に回動するラッチ軸５９によりラッチ解除できるようにしたラッチ装置６０が配置されている。このラッチ装置６０におけるラッチ爪６０ａはラッチ軸５９の回動にて昇降動し、地板４及び天板５の段付き段部１５の裏面側の係止部６１、及び構造棚板７０における前後端段部７２の裏面側の係止部（図示せず）に対してラッチ軸５９の軸線方向に移動してラッチ解除できる構成である（図１８（ａ）及び図１８（ｂ）参照）。その場合、棚カバー体８４、８５の段差５７に前記ラッチ爪６０ａが挿通できる通孔６２を穿設しておくことが好ましい（図１３参照）。
【００４３】
図１９及び図２０は、引き戸５１の上下のレール部材８１を収納家具１（枠体）の前面側に装着する構成を示し、アルミ押出材等からなるレール部材８１の基部両端を支持する支持ブラケット８２は、レール部材８１にその延びる方向と直交する方向に取り付けてネジ６４固定する。各支持ブラケット８２は前記蝶番手段８０のときと同様に、取付け孔５２，７９に差込んだ後ネジ６４固定すれば良い。
【００４４】
図２１及び図２２は、収納家具１（枠体）の裏面を塞ぐ背板９の取り付け構造を示し、背板９を収納家具１の背面開口部内に固定する実施形態のうち、図２１（ａ）及び図２１（ｂ）は、背板６１の金属板材の周囲を内向きに屈曲させた周囲枠９ａのうち縦長の部位をビス６５にて外側板２及び増連用側板３の低い高さの前端部１４（前端段部２４、後端段部２５の端部２７）に締着したものである。
【００４５】
図２２に示すように背板９の下端側のコ字状の屈曲部９ｂを、地板４の段付き部１５及び構造棚板７０の前後端段部７２に係止すると、ビス止め箇所を省略できる。なお、背板９の上周縁の屈曲部９ｃは、天板５の背の高い段付き部１５及び構造棚板７０の前後端段部７２の下面にそれぞれビス止めする。
【００４６】
図２３に示す実施形態では、上下２枚の構造棚板７０、７０を収納家具１（枠体）の上下中途部に適宜間隔で配置することにより、構造棚板７０，７０に上下が挟まれて前面及び後面に開放する開放収納空間を形成することができる。この開放収納空間は、構造棚板７０と天板５との間に形成することもできるし、構造棚板７０と地板４との間に形成することもできる。
【００４７】
本発明では、収納家具１（枠体）の上下の収納空間の前面を開閉扉５０のみまたは引き戸５１のみで覆っても良いし、これらの組み合わせで覆っても良い。さらには抽斗（図示せず）を配置することも可能である。
【図面の簡単な説明】
【００４８】
【図１】本発明の組立式家具の斜視図である。
【図２】図１のII−II線矢視断面図である。
【図３】収納家具（枠体）に構造棚板を取り付けする状態の斜視図である。
【図４】天板、地板、外側板、増連用側板、端用連結部材、増連用連結部材の各部品の概略斜視図である。
【図５】（ａ）は地板及び天板の内側の一部切欠き平面図、（ｂ）は断面図、（ｃ）は図５（ａ）のVc−Vc矢視一部正面図である。
【図６】（ａ）は側板の内面側の一部切欠き平面図、（ｂ）は断面図である。
【図７】（ａ）は増連用側板の片面の一部切欠き平面図、（ｂ）は断面図である。
【図８】地板と増連用側板とを端用連結部材及び増連用連結部材を使用して連結する場合の説明のための斜視図である。
【図９】（ａ）〜（ｄ）は端用連結部材を各方向から見た斜視図である。
【図１０】（ａ）〜（ｄ）は増連用連結部材を各方向から見た斜視図である。
【図１１】（ａ）は構造棚板の上面図、（ｂ）は正面図、（ｃ）は図１１（ａ）のXIc −XIc線矢視断面図である。
【図１２】構造棚板の端部の補強部材の形態を示す斜視図である。
【図１３】棚カバー体の斜視図である。
【図１４】開閉扉の蝶番手段の取り付け部を示す側断面図である。
【図１５】開閉扉の下端の蝶番手段を地板に取り付ける場合の側断面図である。
【図１６】蝶番手段の取り付け部の平面図である。
【図１７】蝶番手段の取り付け部の斜視図である。
【図１８】（ａ）は開閉扉のラッチ装置のラッチ解除状態を示す側断面図、（ｂ）はラッチ状態の側断面図である。
【図１９】引き戸用のレール部材と支持ブラケットの取り付けを示す平面図、（ｂ）は下面図である。
【図２０】レール部材と支持ブラケットの取り付けを示す側断面図である。
【図２１】（ａ）は背板と外側板との取付け部を示す断面図、（ｂ）は増連用側板と背板との取付け部を示す断面図である。
【図２２】背板と地板、天板及び構造棚板との取り付け部を示す側断面図である。
【図２３】収納家具の上下中途部に前後開放状の収納空間を形成した実施形態の正面から見た斜視図である。
【符号の説明】
【００４９】
１        組立式収納家具
２        外側板
３        増連用側板
４        地板
５        天板
６        端用連結部材
７        増連用連結部材
９        背板
１０        平板
１１        前端段部
１２        後端段部
１４        前端部
１５        段付き部
１６        中央補強枠
１７        中央嵌合部
２０        平板
２１        中央補強枠
２３        中央嵌合部
２４        前端段部
２５        後端段部
２６        前後端補強枠
２７        端部
２８        段付き部
３０、４０        基体
３１ａ、３１ｂ、４１ａ、４１ｂ        第１端嵌入片
３２ａ、３２ｂ、４２ａ、４２ｂ        第２端嵌入片
３３ａ、３３ｂ、４３ａ、４３ｂ        中央嵌入片
３４ａ、３５ａ                嵌入部
５０        開閉扉
５１        引き戸
５２        取り付け孔
５４、      ネジ
５７        段差
７０        構造棚板
７１        平板
７２        前後端段部
７３        段差部
７５        取り付け部材
７９        取り付け孔
８０        蝶番手段
８０ａ      基部
８４、８５、８４′    棚カバー体
【図１】
2005160559.tif 000003
【図２】
2005160559.tif 000004
【図３】
2005160559.tif 000005
【図４】
2005160559.tif 000006
【図５】
2005160559.tif 000007
【図６】
2005160559.tif 000008
【図７】
2005160559.tif 000009
【図８】
2005160559.tif 000010
【図９】
2005160559.tif 000011
【図１０】
2005160559.tif 000012
【図１１】
2005160559.tif 000013
【図１２】
2005160559.tif 000014
【図１３】
2005160559.tif 000015
【図１４】
2005160559.tif 000016
【図１５】
2005160559.tif 000017
【図１６】
2005160559.tif 000018
【図１７】
2005160559.tif 000019
【図１８】
2005160559.tif 000020
【図１９】
2005160559.tif 000021
【図２０】
2005160559.tif 000022
【図２１】
2005160559.tif 000023
【図２２】
2005160559.tif 000024
【図２３】
2005160559.tif 000025